(57)【要約】【課題】記録した画像を読み出す際に、記憶した時点の情報を引き出すことにより、撮像した当時を十分に把握することが出来る画像処理装置を提供する。【解決手段】日付け入り被写体画像Ｖ１を生成する日付け付加生成部４と、インターネット８から送信されてくる重大トピックスＤ２を記録する記憶部１３と、記憶部１３における撮影日Ｄ１と同じ日付けを検索する検索部１１４と、検索部１４で検索された日付けＤ１と同じ日に生じた最も順位の高いトピックスＤ４を選択する選択部１５と、トピックスの文字情報Ｄ４からキーワード情報Ｋｅｙ０を生成する情報生成部１６と、抽出されたキーワード情報Ｋｅｙ０を日付け付加生成部４で生成された日付け入り被写体画像Ｖ１に付加するキーワード情報生成部１７と、キーワード情報Ｋｅｙ０が貼り付けられた日付け入り被写体画像Ｖ２を記録する記録部１９と、から構成される。【選択図】      図１
2006229822.tif 000002
【特許請求の範囲】
【請求項１】
撮像部によって撮影して得られた被写体画像に前記被写体画像の撮影日に生じたトピックスを付加する画像処理装置において、
前記撮影日を前記被写体画像に付加して日付け入り被写体画像を生成する日付け付加生成部と、
順位付けされて文字情報で日毎に送信されてくる複数の重大トピックスを記録する記録部と、
前記記録部に記録されている前記複数の重大トピックスの中から前記撮影日と同じ日付けを検索する検索部と、
前記検索部で検索された日付けにおける前記重大トピックスの中で最も順位の高いトピックスを選択する選択部と、
前記選択部で選択された前記トピックスの文字情報から前記撮影日の情報量の２倍以内の情報量に加工したキーワード情報を生成する情報生成部と、
前記キーワード情報を前記日付け付加生成部で生成された前記日付け入り被写体画像に貼り付けるキーワード情報付加部と、
前記キーワード情報が貼り付けられた前記日付け入り被写体画像を記録する記録部と、
を備えたことを特徴とする画像処理装置。
【発明の詳細な説明】
【技術分野】
【０００１】
本発明は、デジタルカメラ、ムービ、携帯電話等により撮像された画像に撮像日におけるトピックス情報を付加する画像処理装置に関する。
【背景技術】
【０００２】
従来は、特許文献１に記載されているように、画像処理装置の撮像部で撮像した画像に日付け、撮像場所を付加して記録し、これを後日、再度読み出して、撮像時の情報を日付け、撮像場所により把握していた。
以下に、特許文献１に記載されている画像処理装置の内容を、図３の概要ブロック図を用いて説明する。
【０００３】
図３に示すように、従来の画像処理装置５０は、被写体を撮像する撮像部５１と、撮像時にＧＰＳ（（Ｇｌｏｖａｌ  Ｐｏｓｉｔｉｏｎｉｎｇ  Ｓｙｓｔｅｍ）：全地球的測位システム）を駆動させる制御信号Ｆｄａｔａを出力する制御部５２と、予め地図情報をファイルしているデータ収集部５３と、ＧＰＳの情報を入力し位置情報に変換する受信部５４と、ＧＰＳの情報を受信して受信部５４に送るＧＰＳ受信用アンテナ５５と、撮像部５１で撮像した被写体の画像に受信部５４から出力された位置情報に基づいてデータ収集部５３から出力された地図情報を付加して記録再生する記録再生部５６と、から構成される。
【０００４】
そして、従来の画像処理装置５０では、被写体を撮像した画像に日付け及び撮像場所の地図情報を貼り付けて記憶し、後日、記録再生部５６で記録した被写体の画像を読み出して再生し撮像時の情報を把握していた。
【特許文献１】特許第３１４７３５８号公報
【発明の開示】
【発明が解決しようとする課題】
【０００５】
しかしながら、読み出した被写体の画像には、撮像場所と言った平面的情報が貼り付けられているのみで、時系列的な情報が記録されておらず、過去のどの時間時点で撮影した被写体画像であるかの情報が得られなかった。
【０００６】
そこで、本発明は、上記のような問題点を解消するためになされたもので、撮像時点のトピックス情報を被写体画像に付加する画像処理装置を提供することを目的とする。
【課題を解決するための手段】
【０００７】
本願発明は、撮像部によって撮影して得られた被写体画像に前記被写体画像の撮影日に生じたトピックスを付加する画像処理装置において、前記撮影日を前記被写体画像に付加して日付け入り被写体画像を生成する日付け付加生成部と、順位付けされて文字情報で日毎に送信されてくる複数の重大トピックスを記録する記録部と、前記記録部に記録されている前記複数の重大トピックスの中から前記撮影日と同じ日付けを検索する検索部と、前記検索部で検索された日付けにおける前記重大トピックスの中で最も順位の高いトピックスを選択する選択部と、前記選択部で選択された前記トピックスの文字情報から前記撮影日の情報量の２倍以内の情報量に加工したキーワード情報を生成する情報生成部と、前記キーワード情報を前記日付け付加生成部で生成された前記日付け入り被写体画像に貼り付けるキーワード情報付加部と、前記キーワード情報が貼り付けられた前記日付け入り被写体画像を記録する記録部と、を備えたことを特徴とする画像処理装置を提供する。
【発明の効果】
【０００８】
本発明によれば、撮影日を被写体画像に付加して日付け入り被写体画像を生成する日付け付加生成部と、順位付けされて文字情報で日毎に送信されてくる複数の重大トピックスを記録する記録部と、記録部に記録されている複数の重大トピックスの中から撮影日と同じ日付けを検索する検索部と、検索部で検索された日付けにおける重大トピックスの中で最も順位の高いトピックスを選択する選択部と、選択部で選択されたトピックスの文字情報から撮影日の情報量の２倍以内の情報量に加工したキーワード情報を生成する情報生成部と、キーワード情報を日付け付加生成部で生成された日付け入り被写体画像に貼り付けるキーワード情報付加部と、キーワード情報が貼り付けられた日付け入り被写体画像を記録する記録部と、を備えているので、撮像時点のトピックス情報を被写体画像に付加することが出来る。
【発明を実施するための最良の形態】
【０００９】
以下に本発明の実施形態に係る画像処理装置について図１〜図２を用いて説明する。
図１は、本発明の実施形態における画像処理装置の概要を示す図である。
図２は、本発明の実施形態の変形における画像処理装置の概要を示す図である。
【００１０】
図１に示すように、本発明の実施形態における画像処理装置は、被写体画像を撮像し、撮像した画像とともに撮影日の日付けを付加して記録する撮像部１と、撮像部１に記録した画像を読み出し、撮像した時点の時間情報として撮影当日のトピックスを付加して画像とともに記録媒体に記録する画像処理部２と、からなる。
そして、撮像部１は、被写体を撮像して被写体画像Ｖ０を出力するカメラ部３と、撮影日Ｄ１の日付けを生成し被写体画像Ｖ０に文字として付加して被写体画像Ｖ１を得る日付け付加生成部４と、被写体画像Ｖ１を記録再生する記録再生部５と、記録再生部５から被写体画像Ｖ１を読み出して送信信号Ｐ０を生成する送信部６と、この送信信号Ｐ０を送信する送信アンテナ７と、から構成される。
また、画像処理部２は、撮像部１から送信された送信信号Ｐ０を受信する受信アンテナ１０と、送信信号Ｐ０を検波して被写体画像Ｖ１に戻す受信部１１と、インターネット１２から毎日順位付けして文字情報で送信されてくる重大トピックスＤ２を積算記録する記憶部１３と、記憶部１３に積算記録されている重大トピックスの中から撮影日Ｄ１と同じ日付けに生じた重大トピックスＤ３を検索する検索部１４と、検索された重大トピックスＤ３の中で最も順位の高いトピックスＤ４を文字情報として選択する選択部１５と、選択された文字情報のトピックスＤ４を撮影日の情報量の２倍以内に加工したキーワード情報Ｋｅｙ０を生成する情報生成部１６と、このキーワード情報Ｋｅｙ０を被写体画像Ｖ１に文字情報として付加した被写体画像Ｖ２を得るキーワード情報付加部１７と、被写体画像Ｖ２を保存するとともに、被写体画像Ｖ２から保存用画像Ｖ３を生成して保存用記録媒体１８に出力する記録部１９と、から構成される。
【００１１】
次に、動作について説明する。
カメラ部１によって撮影された被写体画像Ｖ０に、日付け付加生成部４で生成した撮影日Ｄ１の日付けを文字として付加した被写体画像Ｖ１を、記録再生部５に記録する。そして、この被写体画像Ｖ１を画像処理部２で保存用記録媒体１８に記録するために記録再生部５から読み出して、送信部６で電波信号Ｐ０に変換してモバイル通信により送信アンテナ７を経由して画像処理部２へ送信したり、或いは、有線回路を経由して、被写体画像Ｖ１を直接画像処理部２へ送信したりする。
【００１２】
次に、画像処理部２の受信アンテナ１０で撮像部１から送信されてきた電波信号Ｐ０を受信して受信部１１へ送り、受信部１１では電波信号Ｐ０を検波して被写体画像Ｖ１に変換する。そして、この被写体画像Ｖ１を検索部１４とキーワード情報附加部１７へ送る。
【００１３】
検索部１４では、受信部１１から送られてきた被写体画像Ｖ１から撮影日Ｄ１を日付け情報として抽出し、インターネット１２から毎日順位付けして文字情報で送信されてくる重大トピックスＤ２が積算されて記憶部１３にトピックス群として記憶されている中から、撮影日Ｄ１の日付けと同じ日付けで順位付けされて記憶されているトピックスＤ３を検索して読み出し、選択部１５へ送る。そして、選択部１５において、順位付けされて記憶されているトピックスＤ３の中で最も順位の高いトピックスＤ４を選択する。
情報生成部１６においては、選択部１５で選択された最も順位の高いトピックスＤ４を、撮影日Ｄ１の情報量と比較しながら、撮影日Ｄ１の情報量の２倍以内に加工したキーワード情報Ｋｅｙ０を生成する。
【００１４】
次に、キーワード情報付加部１７では、受信部１１から送られてきた撮影日Ｄ１が文字として既に付加されている被写体画像Ｖ１に、情報生成部１６で生成されたキーワード情報Ｋｅｙ０を文字として付加して被写体画像Ｖ２を得る。そして、得られた被写体画像Ｖ２を記録部１９に送り所定の保存量分記録する。この記録部１９に所定の保存量分記録された被写体画像Ｖ２を、保存用画像Ｖ３として収集し、これを保存用記録媒体１８に記録した後所定の収納個所に保存する。
【００１５】
後日、保存された保存用記録媒体１８を、所定の収納個所から取り出し、保存用記録媒体１８に記録された保存用画像Ｖ３を再生すれば、保存用画像Ｖ３に付加してある撮影当時の日付けとトピックスが文字として表示され、この文字と被写体画像とを合わせて表示することにより撮影した当時の時間情報となる。
【００１６】
以上のように本発明の実施形態によれば、記録した保存用画像Ｖ３を後日読み出すと、撮像当時の日付けとトピックスの文字情報が被写体画像Ｖ０とともに表示され、撮像した時点のトピックス情報を得ることが出来る。この結果、被写体画像Ｖ０を時間経過して見たときに撮像時点の背景が分かる。
【００１７】
次に本発明の実施形態の変形について図２を用いて説明する。
本発明の実施形態の変形は、被写体画像を撮像し、撮像した画像とともに撮影日のインデックス、ジャンルをユーザ入力３０から入力する撮像部３１と、外部情報を予め記憶しておき撮影日のインデックス、ジャンルにより読み出して撮像した画像に付加する画像処理部３２と、ジャンル指定等を行うユーザ入力３３と、情報空間であるインターネット３４と、録画・視聴等の映像視聴状態を入力するユーザ入力３５と、編集操作を行うユーザ入力３６と、ＤＶＤ／ＣＤ等の記録媒体３７と、画像を表示する表示部３８と、からなる。
【００１８】
画像処理部３２は、撮像部３１からモバイル通信によりインデックス、ジャンルデータＰｄａｔａ１を受信する信号受信部３９と、ユーザ入力３３からのジャンル指定データＤ１０によりインターネット３４から外部情報Ｄ１１を検索する外部情報検索部４０と、ユーザ入力３５からの録画、視聴等の映像視聴状態Ｖ１０によりインターネット３４から映像外部情報Ｄ１２検索して蓄積する映像視聴履歴蓄積部４１と、外部情報Ｄ１１と映像外部情報Ｄ１２をＤ１３として蓄積する情報一時蓄積部４２と、信号受信部３９から読み出したＰ１に基づいてＤ１３を読み出して撮像日のデータベースとして記憶する情報データベース４３と、撮像部３１からの被写体画像Ｖ１１を入力し制御する入力制御部４４と、情報データベース４３のデータベースから被写体画像Ｖ１１に付加されているＩ１の撮影日と同じ日付けのデータベースを抽出する情報抽出部４５と、入力制御部４４から得た被写体画像Ｖ１１を情報抽出部４５から得たデータベースと混合して被写体画像Ｖ１２を生成する混合部４６と、ユーザ入力３６からの編集操作Ｃｔｌ０により被写体画像Ｖ１２の編集を行う編集部４７と、編集部４７から出力された編集済みの被写体画像Ｖ１３を記憶し保存画像Ｖ１４として出力するＨＤＤ４８と、混合部４６から出力される被写体画像Ｖ１２とＨＤＤ４８から出力されるデータＭ１とを選択し表示画像Ｖ１５として出力する出力制御部４９と、から構成される。
【００１９】
次に、図２に沿って動作説明をおこなう。
この画像処理部３２はＨＤＤ＋ＤＶＤレコーダ等を使用する。画像処理部３２は、外部
情報の自動収集、外部情報のデータベース化、被写体画像と外部情報の編集・再生、の３
つの機能によって構成される。
外部情報の収集は、ユーザ入力３３によって指定されたジャンルや任意のインターネッ
ト上のサイトに対して、常時行われる。ユーザ入力３６の情報をもとに、定期的（３回/１日）に外部情報検索部４０に対し検索命令を発行する。外部情報検索部４０はインターネット３４にアクセスして、指定された情報を検索する。検索した情報は情報一時蓄積部４２に記録される。この時、日時とジャンルごとに、データベース化のためのインデックスを付す。また、ユーザ入力３５、例えば、何らかの番組を視聴したり録画したり、あるいはＤＶＤを再生したりといった操作に対し、映像視聴履歴蓄積部４１は、それらの情報、例えばタイトルや内容といったものを抽出し、背景情報一時蓄積部４２に記録する。この時、映像視聴履歴蓄積部４１や必要に応じてインターネット３４に接続して情報を収集する。
【００２０】
撮像部３１で撮影を行う際、ユーザはユーザ入力３０によってインデックス（グループ）と関連付けたいジャンルを携帯型撮像装置に指定する。撮影を開始すると、インデックスとジャンルを、モバイルネットワークを経由して画像処理部３２へと送信する。この時、被写体画像Ｖ１１には設定したインデックスが埋め込まれる。信号受信部３９はその信号を受け、インデックスに従って、情報一時蓄積部４２から必要な情報を抽出し、情報データベース４３へと情報を移動するとともに、外部情報と被写体画像のマッピングデータを情報データベース４３へ記録する。
【００２１】
上記撮像部３１の被写体画像Ｖ１１を入力制御部４４に入力すると、被写体画像Ｖ１１は混合部４６へ、インデックスＩ１は情報抽出部４５へ送られる。混合部４６は被写体画像Ｖ１１を表示するために被写体画像Ｖ１２へ変換し出力する。一方、情報抽出部４５は情報データベース４３にアクセスし、被写体画像１１に対応するデータベースの情報を抽出して混合部４６へ送り被写体画像Ｖ１１と混合し被写体画像Ｖ１２として出力する。それらの出力は、出力制御部４９に送られて表示画像Ｖ１５として表示部３８に表示されるか、編集部４７に送られる。編集部４７ではユーザ入力３６の編集操作Ｃｔｌ０にしたがって、被写体画像Ｖ１２を編集し、新たな被写体画像Ｖ１３としてＨＤＤ４８のレコーダ領域に記録する。ＨＤＤ４８に記録された被写体画像を所定量収集してＤＶＤ／ＣＤ等の記録媒体３７に保存用被写体画像Ｖ４としてダビングする、あるいは、出力制御部４９へ再生して送り表示部３８で表示することも可能である。
【００２２】
以上のように、本発明の実施形態の変形においても、同様な効果が得られる。
【図面の簡単な説明】
【００２３】
【図１】本発明の実施形態における画像処理装置の概要を示す図である。
【図２】本発明の実施形態の変形における画像処理装置の概要を示す図である。
【図３】従来の画像処理装置の概要ブロック図示す図である。
【符号の説明】
【００２４】
１・・・撮像部、２・・・画像処理部、３・・・カメラ部、４・・・日付け付加生成部、５・・・記録再生部、６・・・送信部、７・・・送信アンテナ、８・・・インターネット、１０・・・受信アンテナ、１１・・・受信部、１２・・・インターネット、１３・・・記憶部、１４・・・検索部、１５・・・選択部、１６・・・情報生成部、１７・・・キーワード情報付加部、１８・・・保存用記録媒体、１９・・・記録部、３０，３３，３５，３６・・・ユーザ入力部、３１・・・撮像部、３２・・・画像処理部、３７・・・ＤＶＤ／ＣＤ、３８・・・表示部、３９・・・信号受信部、４０・・・外部情報検索部、４１・・・映像視聴履歴蓄積部、４２・・・情報一時蓄積部、４３・・・情報データベース、４４・・・入力制御部、４５・・・情報抽出部、４６・・・混合部、４７・・・編集部、４８・・・ＨＤＤ、４９・・・出力制御部
【図１】
2006229822.tif 000003
【図２】
2006229822.tif 000004
【図３】
2006229822.tif 000005